(57)【特許請求の範囲】
【請求項１】
第１面を有する表示部と、
前記第１面において前記表示部に固定されて前記表示部を支持する支持部、および、軸線の方向が前記第１面と直交するネジ穴を有し前記表示部からみて前記第１面側に位置するネジ締結部、が設けられたホルダ部と、
前記第１面の縁部において前記表示部とパネル用接着部材により接着される当接部、および、前記ネジ穴の前記軸線と軸線が共通する貫通穴を有し前記ネジ締結部からみて前記第１面側とは反対側に位置する被締結座面部、が設けられた意匠パネルとを備え、
前記ネジ穴と前記貫通穴とに１本のネジが締結されることで前記ネジ締結部と前記被締結座面部とがネジ留めされる前の状態において、前記ネジ締結部と前記被締結座面部との間にはクリアランスが設けられ、前記ネジ締結部と前記被締結座面部とがネジ留めされた後の状態において、前記ネジ締結部と前記被締結座面部とは、前記クリアランスがより小さくなった状態でネジ留めされており、
前記ネジ締結部の剛性が前記被締結座面部の剛性よりも弱い
ことを特徴とする表示装置。
【請求項２】
前記ネジ締結部にはスリットが設けられることで、前記ネジ締結部の剛性が前記被締結座面部の剛性よりも弱くなるようにした
ことを特徴とする請求項１記載の表示装置。
【請求項３】
前記表示部は、前記第１面と対向する第２面を有するとともに、当該表示部は、前記支持部が固定された前記第１面が設けられるディスプレイ部と、前記当接部が接着された前記第１面の縁部および前記第２面が設けられるカバー部とを含み、
前記ディスプレイ部と前記カバー部とは、表示部用接着部材により接着されており、
前記ホルダ部は、前記ネジ締結部が設けられる第１ホルダ部と、前記支持部が設けられる第２ホルダ部とを有し、
前記第１ホルダ部と前記第２ホルダ部との間の接続構造の剛性は、前記ホルダ部における当該接続構造以外の部分の剛性よりも弱い
ことを特徴とする請求項１記載の表示装置。
【請求項４】
前記第１ホルダ部と前記第２ホルダ部とを別々の部品とし、
前記接続構造をネジ留め構造とすることで、当該接続構造の剛性が、前記ホルダ部における当該接続構造以外の部分の剛性よりも弱くなるようにした
ことを特徴とする請求項３記載の表示装置。
【発明の詳細な説明】
【技術分野】
【０００１】
この発明は、意匠パネルと表示部とを備えた表示装置に関する。
【背景技術】
【０００２】
従来、表示装置において、意匠パネルと、液晶ディスプレイ等の表示部とを接着部材により接着して固定する技術が知られている。
例えば、特許文献１には、モニタに固定されたカバーレンズが、両面テープによってパネルに接着されて、モニタがパネルに固定されるようにした表示装置が開示されている。なお、特許文献１におけるモニタおよびカバーレンズは上記「表示部」に相当し、特許文献１における両面テープは上記「接着部材」に相当する。
【先行技術文献】
【特許文献】
【０００３】
【特許文献１】国際公開第２０１６／０４２７５５号
【発明の概要】
【発明が解決しようとする課題】
【０００４】
一般に、表示装置において、意匠パネルと表示部とは、最終的にネジ留めによって固定される。
特許文献１に開示されているような表示装置の技術に代表される従来技術では、表示部を接着部材で意匠パネルに接着させた後、意匠パネルと表示部とをネジ留めすると、ネジを締結した際の軸力が表示部を意匠パネルから剥がす方向に作用し、表示部と意匠パネルとが接着された状態を維持することができないおそれがあるという課題があった。【０００５】
この発明は上記のような課題を解決するためになされたもので、意匠パネルと表示部とが接着部材によって接着される表示装置において、当該意匠パネルと当該表示部とをネジ留めした際に、当該意匠パネルと当該表示部とが接着された状態を維持することができる表示装置を提供することを目的とする。
【課題を解決するための手段】
【０００６】
この発明に係る表示装置は、第１面を有する表示部と、第１面において表示部に固定されて表示部を支持する支持部、および、軸線の方向が第１面と直交するネジ穴を有し表示部からみて第１面側に位置するネジ締結部、が設けられたホルダ部と、第１面の縁部において表示部とパネル用接着部材により接着される当接部、および、ネジ穴の軸線と軸線が共通する貫通穴を有しネジ締結部からみて第１面側とは反対側に位置する被締結座面部、が設けられた意匠パネルとを備え、ネジ穴と貫通穴とに１本のネジが締結されることでネジ締結部と被締結座面部とがネジ留めされる前の状態において、ネジ締結部と被締結座面部との間にはクリアランスが設けられ、ネジ締結部と被締結座面部とがネジ留めされた後の状態において、ネジ締結部と被締結座面部とは、クリアランスがより小さくなった状態でネジ留めされており、ネジ締結部の剛性が被締結座面部の剛性よりも弱いことを特徴とするものである。
【発明の効果】
【０００７】
この発明によれば、意匠パネルと表示部とが接着部材によって接着される表示装置において、当該意匠パネルと当該表示部とをネジ留めした際に、当該意匠パネルと当該表示部とが接着された状態を維持することができる。
【図面の簡単な説明】
【０００８】
【図１】実施の形態１に係る表示装置の一例の外観を示す斜視図である。
【図２】実施の形態１に係る表示装置の一例の分解斜視図である。
【図３】実施の形態１に係る表示装置が備えるホルダ部の一例の概略を説明するための図である。
【図４】実施の形態１に係る表示装置について、ホルダ付き表示部と意匠パネルとがパネル用接着部材で接着された状態の一例を示す、表示装置の斜視図である。
【図５】実施の形態１において図４で示す表示装置の背面図である。
【図６】実施の形態１において図５のＸ部分のＡ−Ａ切断線による断面図である。
【図７】１つの部品で形成されたホルダ部の一例を示す図である。
【図８】意匠パネルとパネル付き表示部とを、側面側からネジ留めした場合の表示装置の構造について説明するための図である。
【図９】意匠パネルとパネル付き表示部とを、側面側からネジ留めした場合の表示装置の構造について説明するためのその他の図である。
【図１０】図９のＹ部分のＢ−Ｂ切断線による断面図である。
【発明を実施するための形態】
【０００９】
以下、この発明の実施の形態について、図面を参照しながら詳細に説明する。
実施の形態１．
図１は、実施の形態１に係る表示装置１の一例の外観を示す斜視図である。
実施の形態１において、表示装置１は、例えば、車両の車室内前方のセンターコンソールに設置されナビゲーションシステムの画像等を表示する、狭額縁のフラットディスプレイ仕様の表示装置を想定している。
図１において車両の図示は省略しているが、図１に示すｘ軸の正方向は、車両に設置された状態の表示装置１からみて、車両の後方に向かう方向である。車両に設置された状態の表示装置１からみたｘ軸の正方向側を、「正面側」ともいうものとする。また、車両に設置された状態の表示装置１からみたｘ軸の負方向側を「背面側」ともいうものとする。また、図１に示すｚ軸の正方向は、車両に設置された状態の表示装置１からみて、鉛直上方に向かう方向である。車両に設置された状態の表示装置１からみたｚ軸の正方向側を、「上面側」ともいうものとし、当該ｚ軸の負方向側を「下面側」ともいうものとする。また、図１に示すｙ軸の正方向は、車両に設置された状態の表示装置１を、運転席側から見た場合の、当該表示装置１の右側の方向である。車両に設置された状態の表示装置１からみたｙ軸の正方向側及び負方向側を、両方含めて単に「側面側」ともいうものとする。
【００１０】
表示装置１は、表示部１１と、意匠パネル１２と、筐体１４を備える。また、図１では図示を省略しているが、表示装置１は、ホルダ部１３を備える（図３参照）。
表示部１１は、画像等を表示する。
ホルダ部１３は、表示部１１よりも背面側に配置され、表示部１１に一体的に固定されて、表示部１１を支持する。表示部１１およびホルダ部１３の詳細な構成については後述する。以下の説明において、ホルダ部１３が一体的に固定された状態の表示部１１を、「ホルダ付き表示部」ともいうものとする。
意匠パネル１２は、表示部１１からみてホルダ部１３よりも背面側から表示部１１を覆うように配置され、ホルダ付き表示部と固定される。実施の形態１では、意匠パネル１２はｘ軸方向に貫通した空間を形成する枠形状とし、ホルダ付き表示部と意匠パネル１２とは、ホルダ付き表示部の背面側の面の外周部にて固定される。意匠パネル１２の詳細な構成、および、意匠パネル１２とホルダ付き表示部の詳細な固定構造は後述する。
筐体１４は、ホルダ付き表示部および意匠パネル１２よりも背面側に配置される。
筐体１４には、表示部１１の表示動作を制御する表示制御回路等が格納される。
【００１１】
図２は、実施の形態１に係る表示装置１の一例の分解斜視図である。
図２は、表示装置１を背面側から見た、表示装置１の分解斜視図としている。なお、説明の簡単のため、図２では、筐体１４の記載は省略している。
図２を用いて、表示部１１、ホルダ部１３、および、意匠パネル１２の構成について説明する。
【００１２】
表示部１１は、ディスプレイ部１１１とカバー部１１２を含む。
ディスプレイ部１１１は、矩形の形状を有する一般的な液晶ディスプレイである。ディスプレイ部１１１の短辺の方向が、表示装置１が車両に設置された状態での、表示部１１の上下方向となる。
カバー部１１２は、ディスプレイ部１１１の正面側に、ディスプレイ部１１１を被覆するように設けられている。カバー部１１２は、ディスプレイ部１１１を保護する保護部材であり、タッチ操作に対応するタッチパネルである。
実施の形態１では、カバー部１１２の長辺の長さは、ディスプレイ部１１１の長辺の長さよりも長い。また、カバー部１１２の短辺の長さは、ディスプレイ部１１１の短辺の長さよりも長い。
【００１３】
ディスプレイ部１１１とカバー部１１２との間には、当該ディスプレイ部１１１とカバー部１１２とを接着するための接着部材（以下、「表示部用接着部材１１ａ」という。）が設けられている。表示部用接着部材１１ａは、例えば、両面テープである。
実施の形態１では、一例として、表示部用接着部材１１ａは、ディスプレイ部１１１とカバー部１１２とが重なる領域の全域を覆う面積を有するものとする。しかし、これは一例に過ぎず、表示部用接着部材１１ａは、例えば、ディスプレイ部１１１とカバー部１１２とが重なる領域の一部のみを覆う面積を有するものであってもよい。表示部用接着部材１１ａは、ディスプレイ部１１１の大きさに応じて、ディスプレイ部１１１とカバー部１１２とを接着させるのに十分な面積を有するものとなっていればよい。
【００１４】
表示部１１が有する背面側の面には、ホルダ部１３が固定される。
ここで、図３は、実施の形態１に係る表示装置１が備えるホルダ部１３の概略を説明するための図である。図３は、ホルダ部１３を背面側から見た背面図である。また、図３において、図上の上方向が、上面側である。
ホルダ部１３は、金属等で形成され、第１ホルダ部１３１および第２ホルダ部１３２から成る。第１ホルダ部１３１と第２ホルダ部１３２は、別々に形成された、別々の部品であり、第１ホルダ部１３１と第２ホルダ部１３２とがネジ留めされることによって、ホルダ部１３が一体的に形成される。具体的には、第２ホルダ部１３２の上面側および下面側の端部に設けられたホルダネジ穴１３２２（図２参照）が、それぞれ、第１ホルダ部１３１が有するホルダネジ穴１３１４（図２参照）と重ねられ、第２ホルダ部１３２と第１ホルダ部１３１とがネジ３によってネジ留めされる。
なお、実施の形態１では、図３に示すように、ホルダ部１３には、第２ホルダ部１３２が２つ備えられるものとしたが、これは一例に過ぎない。ホルダ部１３には、第２ホルダ部１３２が１つのみ備えられるものとしてもよいし、第２ホルダ部１３２が３つ以上備えられるものとしてもよい。
【００１５】
第２ホルダ部１３２の、正面側の面には、支持部１３２１が設けられている。
第２ホルダ部１３２は、正面側に向かって窪んだ凹部を有し、当該凹部に、支持部１３２１が設けられる。
支持部１３２１は、表示部１１が有する背面側の面において表示部１１に固定されて表示部１１を支持する。なお、支持部１３２１が固定される、表示部１１が有する背面側の面は、後述する第１面１１１１（図６参照）の一部を構成する面である。また、実施の形態１では、支持部１３２１が固定される、表示部１１が有する背面側の面（第１面１１１１）は、具体的には、ディスプレイ部１１１が有する背面側の面である。
実施の形態１では、上述のとおり、第２ホルダ部１３２は、正面側に向かって窪んだ凹部を有するものとし、支持部１３２１が当該凹部に設けられるものとするが、これは一例に過ぎず、第２ホルダ部１３２は凹部を必須としない。第２ホルダ部１３２の、正面側の一部に、支持部１３２１が設けられるようになっていればよい。
【００１６】
第１ホルダ部１３１には、ネジ穴１３１２を有するネジ締結部１３１１が設けられている。
ホルダ部１３が、表示部１１が有する第１面１１１１（図６参照）に固定された状態において、ネジ穴１３１２は、その軸線の方向が、第１面１１１１と直交している。なお、「直交」とは、厳密な直交ではなくてもよく、略直交の意味を含む。
実施の形態１では、図２および図３に示すように、ネジ締結部１３１１は、ホルダ部１３の４隅にそれぞれ１箇所ずつ設けられることで、計４箇所に設けられている。なお、これは一例に過ぎず、ネジ締結部１３１１は、ホルダ部１３の適宜の位置に、適宜の数、設けられるようにすることができる。
各ネジ締結部１３１１には、スリット１３１３が設けられる。当該スリット１３１３は、ネジ締結部１３１１が、後述する意匠パネル１２の被締結座面部１２２よりも弱い剛性を有するようにするためのものである。ネジ締結部１３１１がスリット１３１３によって撓むことが可能とされていることで、ネジ締結部１３１１の剛性が弱くされている。
ネジ締結部１３１１の剛性は、ネジ締結部１３１１と被締結座面部１２２とがネジ留めされる際に、ネジ締結部１３１１が被締結座面部１２２側に引き込まれる程度に、被締結座面部１２２の剛性より弱くなっていればよい。ネジ締結部１３１１と被締結座面部１２２とのネジ留めについては、後述する。
【００１７】
第１ホルダ部１３１には、当該第１ホルダ部１３１の一部が背面側に切り起こされて形成された爪部１３４が設けられ、爪部１３４には、仲介部品１３３が設けられる。仲介部品１３３は、表示部１１を筐体１４に対して正面側方向または背面側方向にスライドさせるスライド機構を構成する部品の１つである。実施の形態１に係る表示装置１は、表示部１１が、筐体１４の正面を覆う閉状態と、筐体１４の正面を露出した開状態とを切替自在なものとする図示しないスライド機構を有している。
【００１８】
表示部１１と第２ホルダ部１３２の間には、表示部１１と第２ホルダ部１３２とを接着により固定するための接着部材（以下、「ホルダ用接着部材１３ａ」という。）が設けられる。ホルダ用接着部材１３ａは、例えば、両面テープである。
【００１９】
表示部１１からみてホルダ部１３よりも背面側から、表示部１１のディスプレイ部１１１およびホルダ部１３を覆うように、意匠パネル１２が設けられている。
意匠パネル１２は、樹脂等で形成され、意匠パネル１２には、当接部１２１と、被締結座面部１２２が設けられている。
当接部１２１は、意匠パネル１２における正面側の一面に設けられた、意匠パネル１２が表示部１１と接着される領域である。実施の形態１では、当接部１２１は、意匠パネル１２の正面側の一面の外周全体にわたって設けられるものとする。
被締結座面部１２２は、溝が切られていない貫通穴１２２１を有する。被締結座面部１２２は、ホルダ部１３が第１面１１１１（図６参照）に固定され、かつ、意匠パネル１２が後述のように第１面１１１１の縁部１１１１ａ（図６参照）に接着された状態において、ネジ締結部１３１１からみて、第１面１１１１とは反対側に位置する。実施の形態１では、ネジ締結部１３１１は、４箇所に設けられているため、被締結座面部１２２も、それぞれのネジ締結部１３１１に対応して１箇所ずつ設けられ、計４箇所に設けられている。
また、ホルダ部１３が第１面１１１１（図６参照）に固定され、かつ、意匠パネル１２が第１面１１１１の縁部１１１１ａ（図６参照）に接着された状態において、貫通穴１２２１の軸線は、ネジ穴１３１２の軸線と共通している。１つのネジ穴１３１２と当該ネジ穴１３１２に対応する１つの貫通穴１２２１とは、１本のネジ２によって締結される。なお、ネジ穴１３１２の軸線と、貫通穴１２２１の軸線とは、厳密な意味で「共通」していなくてもよく、ネジ２を円滑に締結することが可能となる程度に略共通していればよい。
【００２０】
意匠パネル１２の当接部１２１と表示部１１との間には、意匠パネル１２と表示部１１とを接着するための接着部材（以下、「パネル用接着部材１２ａ」という。）が設けられる。パネル用接着部材１２ａは、例えば、両面テープである。意匠パネル１２の当接部１２１は、表示部１１が有する第１面１１１１の縁部１１１１ａ（図６参照）において表示部１１と接着される。実施の形態１では、当接部１２１が接着される、第１面１１１１の縁部１１１１ａとは、具体的には、カバー部１１２が有する背面側の面の縁部である。すなわち、実施の形態１において、カバー部１１２が有する背面側の面の縁部は、ディスプレイ部１１１が有する背面側の面と同様に、第１面１１１１の一部を構成する面である。
【００２１】
実施の形態１に係る表示装置１における、表示部１１と意匠パネル１２の固定構造について説明する。
表示部１１と意匠パネル１２とは、ホルダ付き表示部と意匠パネル１２とが、パネル用接着部材１２ａによって接着された後、ネジ留めによって固定される。
図４は、実施の形態１に係る表示装置１について、ホルダ付き表示部と意匠パネル１２とがパネル用接着部材１２ａで接着された状態の一例を示す、表示装置１の斜視図である。図４は、表示装置１を背面側から見た、表示装置１の斜視図である。なお、説明の簡単のため、図４では、筐体１４の図示は省略している。
ホルダ付き表示部と意匠パネル１２とは、図４に示す状態となった後、背面側からネジ留めされることで固定される。
図５は、図４で示す表示装置１の背面図である。図５においても、筐体１４の図示は省略している。
図６は、図５のＸ部分のＡ−Ａ切断線による断面図である。図６は、図５のＸ部分の断面を下面側から見た断面図である。
図４〜図６を用いて、表示部１１とホルダ部１３とが接着され、表示部１１と意匠パネルとが接着された後、ホルダ付き表示部のホルダ部１３と意匠パネル１２とがネジ留めにより固定された、表示装置１における表示部１１の固定構造について説明する。
【００２２】
まず、表示部１１とホルダ部１３とが接着される接着方法、および、ホルダ付き表示部と意匠パネル１２とが接着される方法について説明する。
ディスプレイ部１１１とカバー部１１２とが、表示部用接着部材１１ａによって接着される。
ディスプレイ部１１１とカバー部１１２が接着された状態で、カバー部１１２の背面側の面における、ディスプレイ部１１１の長辺方向の両端部の外側、および、ディスプレイ部１１１の短辺方向の両端部の外側は、それぞれ、一定の領域を有するようになっている。当該一定の領域は、パネル用接着部材１２ａが配置される領域となる。当該領域の幅は、表示装置１の仕様に応じて適宜設定される。
【００２３】
ここで、表示部１１が有する背面側の面を、表示部１１の「第１面１１１１」というものとする（図６参照）。また、表示部１１の正面側の面を表示部１１の「第２面１１２１」というものとする（図６参照）。
実施の形態１において、第１面１１１１は、具体的には、ディスプレイ部１１１の背面側の面、および、カバー部１１２の背面側の面における前記一定の領域である。カバー部１１２の背面側の面における当該一定の領域は、言い換えれば、表示部１１が有する第１面１１１１の縁部１１１１ａ（図６参照）である。また、実施の形態１において、第２面１１２１は、具体的には、カバー部１１２の正面側の面である。
【００２４】
ディスプレイ部１１１とカバー部１１２とが接着されると、さらに、表示部１１とホルダ部１３とが接着される。より具体的には、第１面１１１１の一部を構成する面であるディスプレイ部１１１の背面側の面と、第２ホルダ部１３２の支持部１３２１とが、ホルダ用接着部材１３ａにより接着される。
【００２５】
さらに、ホルダ付き表示部と意匠パネル１２とが接着される。具体的には、表示部１１が有する第１面１１１１の縁部１１１１ａにおいて、ホルダ付き表示部と、意匠パネル１２の当接部１２１とが、パネル用接着部材１２ａによって接着される。
【００２６】
以上の方法で、パネル付き表示部と意匠パネル１２とが接着された状態では、図６に示すように、ネジ穴１３１２および貫通穴１２２１は、いずれも軸線の方向が第１面１１１１と直交する方向である。言い換えれば、当該軸線の方向はｘ軸と平行な方向である。なお、「直交」とは、上述のとおり、厳密な直交ではなくてもよく、略直交の意味を含む。また、パネル付き表示部と意匠パネル１２とが接着され、かつ、ネジ締結部１３１１と被締結座面部１２２とがネジ留めされる前の状態では、図６に示すように、ネジ締結部１３１１と被締結座面部１２２との間にはクリアランス１００が設けられる。
クリアランス１００の値は、関連する部品の集積公差以上の値となるように適宜設定される。関連する部品とは、ネジ締結部１３１１および被締結座面部１２２のｚ軸方向の相対的位置関係に影響する部品である。
【００２７】
ホルダ付き表示部と意匠パネル１２とが接着された後、当該ホルダ付き表示部と当該意匠パネル１２とがネジ留めされる。
次に、ホルダ付き表示部と意匠パネル１２とがネジ留めされて固定された固定構造について説明する。
意匠パネル１２の背面側から、ネジ締結部１３１１のネジ穴１３１２および被締結座面部１２２の貫通穴１２２１にネジ２が挿入され、当該ネジ２が締結される。ネジ２が締結されると、ネジ２の軸力により、ネジ締結部１３１１および被締結座面部１２２に締め付け力が生じ、ホルダ付き表示部と意匠パネル１２とが固定される。
【００２８】
このとき、上述のとおり、ネジ締結部１３１１および被締結座面部１２２が接着された状態では、ネジ穴１３１２および貫通穴１２２１は、いずれも軸線の方向が第１面１１１１と直交する方向であり、また、ネジ締結部１３１１および被締結座面部１２２がネジ留めされる前の状態で、ネジ締結部１３１１と被締結座面部１２２との間にはクリアランス１００が設けられている。そのため、ネジ２が締結されると、当該ネジ２が締結されることで生じた、被締結座面部１２２方向への軸力により、ネジ締結部１３１１と被締結座面部１２２との間には、互いに近づく方向の力が加わることとなる。当該方向は、第１面１１１１と直交する方向、言い換えれば、ｘ軸と平行な方向である。
【００２９】
また、上述のとおり、ネジ締結部１３１１において、スリット１３１３が設けられていることにより、ネジ締結部１３１１の剛性が、被締結座面部１２２の剛性よりも弱くなっている。そのため、ネジ締結部１３１１は、ネジが締結された際、被締結座面部１２２の方向へ引き込まれやすくなっている。このことにより、実施の形態１に係る表示装置１では、ネジ締結部１３１１と被締結座面部１２２とをネジ留めする際、ネジ締結部１３１１と被締結座面部１２２との間に加わる互いに近づく方向の力を過度に大きくすることが無く、一定範囲の大きさの力とすることができる。
【００３０】
このように、ホルダ付き表示部と意匠パネル１２とを、背面側からネジ留めすることで、ネジ締結部１３１１と被締結座面部１２２との間には、互いに近づく方向の力が加わることとなる。したがって、意匠パネル１２とホルダ付き表示部との間にも互いに近づく方向の力が加わるのみであり両者が互いに引き剥がされる方向への力が生じることはない。すなわち、実施の形態１に係る表示装置１では、意匠パネル１２とホルダ付き表示部とがネジ留めによって固定される際、ホルダ付き表示部が意匠パネル１２から剥がれることを防ぎ、意匠パネル１２とパネル付き表示部とが接着された状態を維持することができる。
【００３１】
一方、ネジ締結部１３１１と被締結座面部１２２とをネジ留めした際、ネジ締結部１３１１が被締結座面部１２２の方向へ引き込まれる力が、表示部１１において表示部用接着部材１１ａがディスプレイ部１１１とカバー部１１２とを接着させている力より大きくなる場合、ディスプレイ部１１１をカバー部１１２から引き剥がす方向への力が働くことになる。
ここで、仮に、ホルダ部１３が１つの部品で構成され（図７参照）、第１ホルダ部１３１から第２ホルダ部１３２にかけて、ホルダ部１３が均一の剛性を有するものであるとする。この場合、ホルダ付き表示部と意匠パネル１２とをネジ留めした際の、ディスプレイ部１１１をカバー部１１２から引き剥がす方向へ働く力が、ディスプレイ部１１１とカバー部１１２との接着面に直に伝わることになり、当該力の影響を受けやすい。
【００３２】
そこで、実施の形態１に係る表示装置１では、上述のとおり、ホルダ部１３を、別々の部品である第１ホルダ部１３１および第２ホルダ部１３２とを有するものとしている。そして、第１ホルダ部１３１および第２ホルダ部１３２がネジ留めされてホルダ部１３が形成されることで、第１ホルダ部１３１と第２ホルダ部１３２との間の接続構造の剛性を、ホルダ部１３における当該接続構造以外の部分の剛性より弱くしている。
その結果、ネジ締結部１３１１と被締結座面部１２２とをネジ留めした際に、ネジ締結部１３１１が被締結座面部１２２の方向へ引き込まれる力が、表示部１１において表示部用接着部材１１ａがディスプレイ部１１１とカバー部１１２とを接着させている力より大きくなる場合であっても、ホルダ部１３における接続構造部分が撓むことができる。このため、実施の形態１に係る表示装置１では、上記の場合にも、ディスプレイ部１１１がカバー部１１２から引き剥がされる方向へ働く力を低減させ、ディスプレイ部１１１とカバー部１１２とが接着された状態を維持することができる。
【００３３】
なお、上述のとおり、実施の形態１に係る表示装置１は、一例として、スライド機構を有するものとしている。スライド機構を有する表示装置１においては、表示部１１が開状態から閉状態に移行する際、モニタ付き表示部に、仲介部品１３３を介して、筐体１４側に引き込まれる方向の力が働く。このように、モニタ付き表示部が筐体１４側に引き込まれる方向へ働く力は、ディスプレイ部１１１がカバー部１１２から引き剥がされる方向へ働く力になる。しかし、実施の形態１に係る表示装置１では、第１ホルダ部１３１と第２ホルダ部１３２との間の接続構造の剛性が、ホルダ部１３における当該接続構造以外の部分の剛性より弱くされることで、表示部１１が閉状態に移行する際のディスプレイ部１１１がカバー部１１２から引き剥がされる方向へ働く力を低減することもできる。
【００３４】
以上のとおり、実施の形態１に係る表示装置１は、意匠パネル１２とパネル付き表示部との固定力を向上することができる。
【００３５】
なお、意匠パネル１２とパネル付き表示部とのネジ留めについては、側面側からネジ留めすることも一案として考えられる。
しかし、意匠パネル１２とパネル付き表示部とを、表示装置の側面側からネジ留めしたのでは、上述した実施の形態１に係る表示装置１のような、固定力を向上させる効果は得られないことがある。以下、具体的に説明する。
【００３６】
図８〜図１０は、意匠パネル１２とパネル付き表示部とを、側面側からネジ留めした場合の表示装置の構造について説明するための図である。
図８は、上述の図４に対応し、側面側からネジ留めされるようにした点以外は、図４と同様の構成を有するため、同じ構成には同じ符号を付して重複した説明を省略する。
図９は、上述の図５に対応し、側面側からネジ留めされるようにした点以外は、図５と同様の構成を有するため、同じ構成には同じ符号を付して重複した説明を省略する。
図１０は、図９のＹ部分のＢ−Ｂ切断線による断面図である。図１０は、図９のＹ部分の断面を下面側から見た断面図である。
図１０は、上述の図６に対応している。意匠パネル１２とパネル付き表示部とは、側面側からネジ留めされるため、図１０に示すように、意匠パネル１２において、被締結座面部１２２’は、側面側の一面に設けられている。また、第１ホルダ部１３１のネジ締結部１３１１’は、被締結座面部１２２’と対向する位置に設けられている。なお、被締結座面部１２２’と、ネジ締結部１３１１’のそれぞれに設けられたネジ穴の軸線は、いずれも表示部１１が有する背面側の面と平行な方向である。
【００３７】
図１０に示すように、ホルダ付き表示部と意匠パネル１２とが接着された状態で、ネジ２が側面側から締結されると、ネジ２の締結による軸力は、側面方向に付与される。
この場合、ネジ２の締結時に、正面側方向に負荷がかかった状態で締結されると、意匠パネル１２とパネル用接着部材１２ａによって接着されているホルダ付き表示部を、意匠パネル１２から引き剥がす方向に、力が働くことになり得る。
なお、集積公差により、第１ホルダ部１３１のネジ締結部１３１１’側のネジ位置が、意匠パネル１２の被締結座面部１２２’側のネジ穴よりも背面側方向にずれている場合、ネジ２が、当該被締結座面部１２２’側のネジ穴に対して、正面側に、ネジ締結時の推力によって変位させて締結された場合、意匠パネル１２とパネル用接着部材１２ａによって接着されているホルダ付き表示部を意匠パネル１２から引き剥がす方向に働く力は、最大となる。
特に、実施の形態１で想定している狭額縁のフラットディスプレイ仕様の表示装置の場合は、意匠パネル１２の当接部１２１の幅を大きく取れない。したがって、パネル用接着部材１２ａによる、意匠パネル１２とホルダ付き表示部との接着力には限界がある。このような場合に、側面側からネジ２を締結するのでは、ネジ２を締結した際の軸力が表示部１１を意匠パネル１２から剥がす方向に作用し、表示部１１と意匠パネル１２とが接着された状態を維持することができないおそれがある。
【００３８】
これに対し、実施の形態１に係る表示装置１は、上述のとおり、ネジ締結部１３１１および被締結座面部１２２が接着された状態では、ネジ穴１３１２および貫通穴１２２１は、いずれも軸線の方向が第１面１１１１と直交する方向であり、また、ネジ締結部１３１１および被締結座面部１２２がネジ留めされる前の状態で、ネジ締結部１３１１と被締結座面部１２２との間にはクリアランス１００が設けられている。そして、ホルダ付き表示部と意匠パネル１２とを、背面側からネジ留めするようにし、ネジ２が締結されると、当該ネジ２が締結されることで生じた、被締結座面部１２２方向への軸力により、ネジ締結部１３１１と被締結座面部１２２との間には、互いに近づく方向の力が加わり、意匠パネル１２とホルダ付き表示部とが引き剥がされる方向への力が生じないようにしている。
その結果、意匠パネル１２とホルダ付き表示部とがネジ留めによって固定される際、ホルダ付き表示部が意匠パネル１２から剥がれることを防ぎ、意匠パネル１２とパネル付き表示部とが接着された状態を維持することができる。
【００３９】
なお、以上の実施の形態１では、ホルダ部１３を、別々の部品である第１ホルダ部１３１および第２ホルダ部１３２とを有するものとし、第１ホルダ部１３１および第２ホルダ部１３２がネジ留めされてホルダ部１３が形成されることで、第１ホルダ部１３１と第２ホルダ部１３２との間の接続構造の剛性を、ホルダ部１３における当該接続構造以外の部分の剛性より弱くするようにした。
しかし、これは一例に過ぎず、第１ホルダ部１３１と第２ホルダ部１３２との間の接続構造の剛性が、ホルダ部１３における当該接続構造以外の部分の剛性より弱く、ホルダ部１３における接続構造部分が撓むことができるようになっていればよい。例えば、ホルダ部１３が１つの部品で構成され、第１ホルダ部１３１と第２ホルダ部１３２とが接する部分の剛性が、第１ホルダ部１３１と第２ホルダ部１３２とが接しない部分の剛性より弱くなるような、当該ホルダ部１３における接続構造を有するようにしてもよい。当該接続構造によっても、ディスプレイ部１１１をカバー部１１２から引き剥がす方向への力を低減させる効果を得ることができる。
【００４０】
また、以上の実施の形態１では、表示装置１において、ネジ締結部１３１１には、スリット１３１３が設けられるようにしたが、当該構成は必須ではない。ネジ締結部１３１１は、スリット１３１３が設けられていないものであってもよい。
また、以上の実施の形態１では、表示装置１において、第１ホルダ部１３１と第２ホルダ部１３２との間の接続構造の剛性を、ホルダ部１３における当該接続構造以外の部分の剛性より弱いものとしたが、当該構成は必須ではない。例えば、ネジ締結部１３１１と被締結座面部１２２とをネジ留めした際に、ネジ締結部１３１１が被締結座面部１２２の方向へ引き込まれる力が、表示部１１において表示部用接着部材１１ａがディスプレイ部１１１とカバー部１１２とを接着させている力より大きくならないような場合、図７に示すように、ホルダ部１３は当該ホルダ部１３の全域にわたって均一の剛性を有するものであってもよい。
【００４１】
また、以上の実施の形態１では、接着部材（表示部用接着部材１１ａ、パネル用接着部材１２ａ、および、ホルダ用接着部材１３ａ）は、両面テープとしたが、これは一例に過ぎない。例えば、接着部材は、粘着材としてもよい。
また、表示部１１とホルダ部１３とは、ホルダ用接着部材１３ａで接着されることに限らず、ホルダ部１３は、例えばネジ留め等、支持部１３２１において何らかの方法で表示部１１に固定されるようになっていればよい。
【００４２】
また、以上の実施の形態１では、カバー部１１２の長辺の長さ、および、短辺の長さは、いずれも、ディスプレイ部１１１の長辺の長さ、および、短辺の長さよりも長いものとしたが、これは一例に過ぎない。例えば、カバー部１１２の長辺の長さ、または、短辺の長さのいずれか一方が、ディスプレイ部１１１の長辺の長さ、または、短辺の長さよりも長いものであってもよい。
また、カバー部１１２およびディスプレイ部１１１は、長辺の長さ、および、短辺の長さが、それぞれ、等しいものとしてもよい。ここでいう「等しい」とは、略等しいことを含む。
【００４３】
また、以上の実施の形態１では、表示装置１が有する表示部１１は、一例として、狭額縁のフラットディスプレイを想定しているものとしたが、これは一例に過ぎない。ただし、上述した表示装置１における意匠パネル１２とパネル付き表示部との固定構造は、意匠パネル１２とパネル付き表示部とを接着するパネル用接着部材１２ａが設けられる範囲が、背面側からの、意匠パネル１２とパネル付き表示部とのネジ留めによる軸力に対して接着を維持できるだけの十分な面積を有しない場合に、特に有効である。
【００４４】
以上のように、実施の形態１に係る表示装置１は、第１面１１１１を有する表示部１１と、第１面１１１１において表示部１１に固定されて表示部１１を支持する支持部１３２１、および、軸線の方向が第１面１１１１と直交するネジ穴１３１２を有し表示部１１からみて第１面１１１１側に位置するネジ締結部１３１１、が設けられたホルダ部１３と、第１面１１１１の縁部１１１１ａにおいて表示部１１とパネル用接着部材１２ａにより接着される当接部１２１、および、ネジ穴１３１２の軸線と軸線が共通する貫通穴１２２１を有しネジ締結部１３１１からみて第１面１１１１側とは反対側に位置する被締結座面部１２２、が設けられた意匠パネル１２とを備え、ネジ穴１３１２と貫通穴１２２１とに１本のネジが締結されることでネジ締結部１３１１と被締結座面部１２２とがネジ留めされる前の状態において、ネジ締結部１３１１と被締結座面部１２２との間にはクリアランス１００が設けられ、ネジ締結部１３１１と被締結座面部１２２とがネジ留めされた後の状態において、ネジ締結部１３１１と被締結座面部１２２とは、クリアランス１００がより小さくなった状態でネジ留めされている、表示部１１の固定構造を備えるようにした。そのため、意匠パネル１２と表示部１１とが接着部材によって接着される表示装置において、当該意匠パネル１２と当該表示部１１とをネジ留めした際に、当該意匠パネル１２と当該表示部１１とが接着された状態を維持することができる。
【００４５】
また、実施の形態１に係る表示装置１において、ネジ締結部１３１１の剛性が被締結座面部１２２の剛性よりも弱い。具体的には、ネジ締結部１３１１にはスリット１３１３が設けられることで、ネジ締結部１３１１の剛性が被締結座面部１２２の剛性よりも弱くなるようにされている。これにより、意匠パネル１２と表示部１１との固定力をさらに向上することができる。
【００４６】
また、実施の形態１に係る表示装置１において、表示部１１は、第１面１１１１と対向する第２面１１２１を有するとともに、当該表示部１１は、支持部１３２１が固定された第１面１１１１が設けられるディスプレイ部１１１と、当接部１２１が接着された第１面１１１１の縁部１１１１ａおよび第２面１１２１が設けられるカバー部１１２とを含み、ディスプレイ部１１１とカバー部１１２とは、表示部用接着部材１１ａにより接着されており、ホルダ部１３は、ネジ締結部１３１１が設けられる第１ホルダ部１３１と、支持部１３２１が設けられる第２ホルダ部１３２とを有し、第１ホルダ部１３１と第２ホルダ部１３２との間の接続構造の剛性は、ホルダ部１３における当該接続構造以外の部分の剛性よりも弱い。具体的には、例えば、第１ホルダ部１３１と第２ホルダ部１３２とを別々の部品とし、第１ホルダ部１３１と第２ホルダ部１３２との間の接続構造をネジ留め構造とすることで、当該接続構造の剛性が、ホルダ部１３における当該接続構造以外の部分の剛性よりも弱くなるようにした。これにより、ディスプレイ部１１１がカバー部１１２から引き剥がされる方向への力を低減させ、ディスプレイ部１１１とカバー部１１２とが接着された状態を維持することができる。
【００４７】
なお、本願発明はその発明の範囲内において、実施の形態の任意の構成要素の変形、もしくは実施の形態の任意の構成要素の省略が可能である。
【産業上の利用可能性】
【００４８】
この発明に係る表示装置は、当該意匠パネルと当該表示部とをネジ留めした際に、当該意匠パネルと当該表示部とが接着された状態を維持することができるように構成したため、意匠パネルと表示部とが接着部材によって接着される表示装置に適用することができる。
【符号の説明】
【００４９】
１  表示装置、２，３  ネジ、１１  表示部、１１ａ  表示部用接着部材、１１１  ディスプレイ部、１１２  カバー部、１１１１  第１面、１１１１ａ  縁部、１１２１  第２面、１２  意匠パネル、１２ａ  パネル用接着部材、１２１  当接部、１２２  被締結座面部、１２２１  貫通穴、１３  ホルダ部、１３ａ  ホルダ用接着部材、１３１  第１ホルダ部、１３２  第２ホルダ部、１３３  仲介部品、１３４  爪部、１３１１  ネジ締結部、１３１２  ネジ穴、１３１３  スリット、１３１４，１３２２  ホルダネジ穴、１３２１  支持部、１００  クリアランス。
【図１】
0006976457.tif 000002
【図２】
0006976457.tif 000003
【図３】
0006976457.tif 000004
【図４】
0006976457.tif 000005
【図５】
0006976457.tif 000006
【図６】
0006976457.tif 000007
【図７】
0006976457.tif 000008
【図８】
0006976457.tif 000009
【図９】
0006976457.tif 000010
【図１０】
0006976457.tif 000011